(57)【特許請求の範囲】
【請求項１】
筐体正面に取り付けられる外側部を備えたカードリーダライタユニットであって、
該リーダライタユニットの外側部後部の取付面に、前記筐体正面に穿設された上下に水平な辺を有する被取付穴の上下に対向する２つの辺にそれぞれ係止可能である第１の係止部および第２の係止部を設け、
前記第１の係止部は、前記被取付穴の上辺と平行である折面と、該折面に延設されて前記取付面と平行である先端面とを有して、断面Ｚ字状に形成され、
前記第２の係止部は、前記被取付穴の下辺と平行である折面と、該折面の左右に設けられて前記被取付穴の下辺と直交してかつ前記被取付穴の下辺に当接するヘ字状斜面を有する２つの先端面とから形成され、
前記第１の係止部の先端と前記第２の係止部の先端との距離は、前記被取付穴の最大差渡し長さ幅より短くてかつ前記係止可能である２つの辺の距離よりも長く設けたことを特徴とするカードリーダライタユニット。
【発明の詳細な説明】
【技術分野】
【０００１】
本発明は、自動販売機に装着するカードリーダライタユニットに関し、特に自動販売機正面への取付において仮固定可能な取付構造に関する。
【背景技術】
【０００２】
近年、金融機関や自動販売機等において、キャッシュレスや個人認証等を実現するためのカードとして、磁気カードおよび非接触ＩＣカード等のカードが用いられており、これらカードの情報の読み取りおよび更新は、磁気ヘッドや非接触通信するかざし部等の読取部を備えたカードリーダライタユニット（以下、リーダライタユニットと称す。）によって行われる。
【０００３】
このリーダライタユニットを自動販売機等機器の筐体へ取り付ける場合、該リーダライタユニットの外側部である磁気カードの差込口や非接触ＩＣカードと非接触通信するかざし部は、筐体正面の表面から凸状になるように設けられて、筐体の外部と内部との間の情報伝達経路を介して、筐体内部に設けられてかつリーダライタユニットの外側部と有線または無線で機械的に接続される情報処理部にカードの情報を伝達するようにしているものがある。
【０００４】
ところで、上述した筐体正面の表面に凸状となるカード差込口やかざし部の取り付けにおいては、その取付強度を堅固にすると共に、外部からの塵埃、雨水等が、前記情報伝達経路から内部へ侵入するのを防止する必要がある。
【０００５】
そこで、従来においては、取付対象である筐体正面に前記情報伝達経路をなす被取付穴を設けて、リーダライタユニットの磁気カードの差込口や非接触ＩＣカードと非接触通信するかざし部等を有する外側部の背面（取付面。以下も同様に称す）が、前記被取付穴を完全に閉塞することができる大きさであるように形成し、前記被取付穴からリーダライタユニットの外側部の背面側の一部を筐体外部側から挿入して、前記取付面を筐体の表面に完全に密着させた状態で、筐体内部側から固定するようにしている。
【０００６】
上述のように、リーダライタユニットを自動販売機等機器へ取り付ける際には、リーダライタユニットの外側部を筐体正面の外部で支えた状態で、支えられたリーダライタユニットを内部から固定して、さらに外部からの情報を伝達するための情報伝達手段を前記情報処理部に接続する作業が必要であることが明らかである。
【０００７】
本出願人は、リーダライタユニットの取り付けに際して、筐体正面に穿設した被取付穴に筐体外部から内部へと挿し込まれるリーダライタユニットの凸部の周囲に複数の溝を設け、該溝に固定板を挿し込んで筐体正面の内側面と溝とを埋めるようにすることで、外側部を筐体に仮固定することができるリーダライタユニットを提案している（特開２０１１−１２８８７５号公報）。このようなリーダライタユニットにおいては、リーダライタユニットの外側部を筐体正面に仮固定することが出来るので、筐体外部で前記外側部を支える時間を短縮することが可能である。
【先行技術文献】
【特許文献】
【０００８】
【特許文献１】特開２０１１−１２８８７５号公報
【特許文献２】特願２０１１−２１２７１６号
【発明の概要】
【発明が解決しようとする課題】
【０００９】
しかしながら、上述のリーダライタユニットにおいては、筐体の外部でリーダライタユニットの外側部を支えるための作業員と、支えられたリーダライタユニットの外側部を内部から仮固定および本固定するための作業員との、少なくとも２人の作業員が必要なことが明らかである。
【００１０】
そこで、本発明は、取り付けの際の作業員の人数を削減し、１人の作業員が、リーダライタユニットの仮固定および本固定と、さらに外側部から情報処理部までの情報伝達経路の形成が可能であるように、リーダライタユニットの外側部を被取付部である筐体正面の外部からのみの作業で仮固定することができ、さらに、本固定し易い仮固定をすることができるリーダライタユニットを提供することを目的とする。
【課題を解決するための手段】
【００１１】
上述した課題を解決するために、本発明のリーダライタユニットでは、リーダライタユニットの外側部後部の取付面に、筐体正面に穿設された上下に水平な辺を有する被取付穴の上下に対向する２つの辺にそれぞれ係止可能である第１の係止部および第２の係止部を設け、前記第１の係止部は、前記被取付穴の上辺と平行である折面と、該折面に延設されて前記取付面と平行である先端面とを有して、断面Ｚ字状に形成され、前記第２の係止部は、前記被取付穴の下辺と平行である折面と、該折面の左右に設けられて前記被取付穴の下辺と直交してかつ前記被取付穴の下辺に当接するヘ字状斜面を有する２つの先端面とから形成され、前記第１の係止部の先端と前記第２の係止部の先端との距離は、前記被取付穴の最大差渡し長さより短くてかつ前記係止可能である２つの辺の距離よりも長く設けるようにしている。
【発明の効果】
【００１２】
上記本発明のリーダライタユニットの外側部においては、その後部の取付面に、筐体正面に穿設された被取付穴上下の対向する２つの辺をそれぞれ係止する２つの係止部を設け、リーダライタユニットの外側部を側方に傾けた状態で、筐体の正面側から２つの係止部を被取付穴に挿入し、リーダライタユニット外側部背面を被取付面に密着させたまま、水平状態になるまで回転させることによって、２つの係止部が被取付穴の対向する辺を係止して、筐体にリーダライタユニットの外側部を仮固定できるようにし、その仮固定は仮固定後の位置ずれを軽減するようにしたものなので、筐体の正面側からのみの簡単な作業でリーダライタユニットの外側部を仮固定することができ、そして、筐体の内側からのねじ締め等による本固定および外側部から情報処理部までの情報伝達経路の形成作業に至るまで、１人の作業員のみでの取り付け作業が可能である。
【図面の簡単な説明】
【００１３】
【図１】図１は、本発明に係るリーダライタユニットの外側部の取付部の背面図。
【図２】図２は、図１の左側面図。
【図３】図３は、図１の正面図。
【図４Ａ】図４Ａは、図１におけるＣ−Ｃ切断部端面の図２におけるＡ部分拡大図。
【図４Ｂ】図４Ｂは、図１におけるＣ−Ｃ切断部端面の図２におけるＢ部分拡大図。
【図５】図５は、２つの係止部を被取付穴に介挿する様子を示すリーダライタユニットの外側部の取付部の背面図。
【図６】図６は、図５の左側面図。
【発明を実施するための形態】
【００１４】
以下、本発明に係るリーダライタユニットの一実施例を示して詳述する。
まず、本発明のリーダライタユニット１０を筐体２０に取り付けた状態における取付部の構成を説明する。
【００１５】
図１および図２に示す、リーダライタユニット１０の取付部は、被取付部となる筐体２０正面側の被取付面２１と、被取付面２１に穿設された被取付穴（角穴）２２と、カードの情報の読み取りを行う読取部を具えるリーダライタユニット１０の外側部１１と、外側部１１の背面である取付面１２に設けられる第１の係止部１３および第２の係止部１４とを具えている。
【００１６】
リーダライタユニット１０の外側部１１は、筐体２０の外部側に配置されるものであり、外側部１１が具える読取部において読み取った情報を、被取付穴２２を通って筐体２０の外部と内部との間を導通する図示せぬ情報伝達手段を介して筐体２０内部に配設される図示せぬ情報処理部に伝達されるようにしている。
【００１７】
本実施例におけるリーダライタユニット１０（磁気カード情報処理装置）は、図３に示すように、その外側部１１の正面に設けられたカード差込口１１ａに磁気カードを差込み、カード差込口１１ａに連通するカード通路１１ｂに沿って下方に磁気カードをスライドさせて、カード通路１１ｂ内に設けられる図示せぬ磁気ヘッドによって磁気カードの情報の読み取りを行うようにするものである（特願２０１１−２１２７１６号）。
【００１８】
なお、本実施例において、筐体２０に取り付けるリーダライタユニット１０は、スワイプ方式の磁気カード情報処理装置としているが、特開２０１１−１２８８７５号公報に示されるような、非接触式ＩＣカードを用いる電子マネー決済装置等の装置に適用しても構わない。
【００１９】
リーダライタユニット１０の外側部１１を筐体２０に取り付ける際、外側部１１は、その背面である取付面１２が被取付面２１に完全に密着するようにして筐体２０の外部側に配置される（図２）。
また、被取付穴２２は、リーダライタユニット１０の外側部１１の取付面１２によって、完全に閉塞可能な大きさであるように穿設している（図１）。
【００２０】
このように配置された被取付面２１とリーダライタユニット１０の外側部１１とを、図示せぬねじ等により螺着して完全に固定することにより、従来のリーダライタユニットと同様に、被取付穴２２からの塵埃、雨水等の内部への侵入を防止するようにしている。
【００２１】
さらに、リーダライタユニット１０の外側部１１の取付面１２には、本発明の特徴であって、被取付穴２２の対向する２つの辺にそれぞれ係止可能である第１の係止部１３および第２の係止部１４が設けられており、上述の如く本固定をする前段階として、リーダライタユニット１０の外側部１１を筐体２０に仮固定可能であるようにしている。
【００２２】
第１の係止部１３は、図１、図２および図４Ａに示すように、被取付穴２２の上辺２２ａと平行である折面１３ａを有し、さらに、折面１３ａに延設されて取付面１２と平行である先端面１３ｂを有して、断面Ｚ字状に形成されるものである。
リーダライタユニット１０の外側部１１を筐体２０に仮固定している状態においては、この先端面１３ｂと取付面１２とによって、筐体２０の被取付面２１を挟みこんで、折面１３ａが被取付穴２２の上辺２２ａと対向する。
【００２３】
また、第２の係止部１４は、図１、図２および図４Ｂに示すように、第１の係止部１３と略同一の幅（Ｗ≒Ｗ’）であるように、被取付穴２２に対して第１の係止部１３と対称の位置に形成され、被取付穴２２の下辺２２ｂと平行である折面１４ａを有し、さらに、折面１４ａの左右方向に延設されて下辺２２ｂと直交する２つの先端面１４ｂを有するものである。
この、先端面１４ｂはヘ字状斜面１４ｃを有しており、リーダライタユニット１０の外側部１１を筐体２０に仮固定している状態においては、２つのヘ字状斜面１４ｃが被取付穴２２の下辺２２ｂに当接する。
【００２４】
上述のようにリーダライタユニット１０の外側部１１を筐体２０に仮固定するために、第１の係止部１３の折面１３ａと第２の係止部１４の凹部１４ｄとの距離Ｘと、第１の係止部１３の先端１３ｃと第２の係止部１４の先端１４ｅとの距離Ｙと、被取付穴２２の上辺２２ａと下辺２２ｂとの距離Ｈとの関係は、距離Ｘ＜距離Ｈ＜距離Ｙ、となるように設けられる（図２）。
【００２５】
また、第１の係止部１３および第２の係止部１４の幅は、リーダライタユニット１０の外側部１１を側方に傾けることによって被取付穴２２に介挿可能である範囲において設けられる。すなわち、第１の係止部１３と第２の係止部１４と距離は被取付穴２２の対角線（最大差渡し長さ）より短くなるように設けられる（図４等参照）。
【００２６】
次に、上述したリーダライタユニット１０の外側部１１を筐体２０に仮固定する方法について説明し、併せて構成をより詳細に説明する。
【００２７】
図５および図６に示すように、リーダライタユニット１０の外側部１１を側方に傾けた状態で、筐体２０の外部側から、取付面１２を筐体２０の被取付面２１に密接させる。この際、第１の係止部１３および第２の係止部１４は、被取付穴２２に介挿して、第１の係止部１３の先端面１３ｂと第２の係止部１４の２つの先端１４ｅとが、筐体２０の内部側に位置するようにする。
【００２８】
そして、取付面１２と被取付面２１とが密着した状態のまま、リーダライタユニット１０が水平姿勢（図１および図２の姿勢）になるよう図５に示すＲ方向に回転させる。
【００２９】
すると、第１の係止部１３の先端面１３ｂおよび取付面１２が、筐体２０の被取付面２１を挟みこむと共に、第２の係止部１４の２つのヘ字状斜面１４ｃが、被取付穴２２の下辺２２ｂを挟持して、リーダライタユニット１０の外側部１１は、筐体２０に仮固定される。
【００３０】
このように、本発明のリーダライタユニット１０は、筐体２０の正面側からのみの簡単な作業で、仮固定することが可能である。
【００３１】
ところで、リーダライタユニット１０を筐体２０に仮固定する際、リーダライタユニット１０を側方に傾けた状態から図５に示すＲ方向に回転させて水平状態にするため、基本的幾何学的原理から（第１の係止部１３および第２の係止部１４の幅寸法Ｗを弦長さとした際の円弧の高さを考慮し）、上記距離Ｘを距離Ｈよりさらに短くする必要がある。また、スムーズに回転させるために、第１の係止部１３における折面１３ａの前後方向幅を、筐体２０の被取付面２１の厚みよりも若干大きくする必要がある。
そのため、上下方向、および、正面へ前傾する方向へのがたつきが生じる。
【００３２】
しかしながら、本発明のリーダライタユニット１０においては、第２の係止部１４のヘ字状斜面１４ｃにより、被取付穴２２の下辺２２ｂを係止することによって、第１の係止部１３と第２の係止部１４との距離を、被取付穴２２の上辺２２ａと下辺２２ｂとの距離に極力近付けることを可能にし、そして、断面Ｚ字状の第１の係止部１３における先端面１３ｂと第２の係止部１４のへ字状傾斜によって、外側部１１の正面への前傾を抑えることを可能にしている。
その結果、がたつきの少ない仮固定ができるので、ねじ締め等による本固定での作業効率が向上する。
【００３３】
このように、本発明のリーダライタユニットは、その外側部後部の取付面に、筐体正面に穿設された被取付穴の上下に対向する２つの辺をそれぞれ係止する２つの係止部を設け、リーダライタユニットの外側部を側方に傾けた状態で、筐体の正面側から２つの係止部を被取付穴に挿入し、リーダライタユニット外側部背面を被取付面に密着させたまま、水平状態になるまで回転させることによって、２つの係止部が被取付穴の対向する辺を係止して、筐体にリーダライタユニットを仮固定するようにしている。
【００３４】
したがって、筐体の正面側からのみの簡単な作業で、がたつきの少ないリーダライタユニットの仮固定をすることができ、その後の、筐体の内側からのねじ締め等による本固定および外側部から情報処理部までの情報伝達経路の形成作業に至るまで、１人の作業員のみでの取り付け作業が可能である。
【００３５】
なお、上記実施例においては、被取付穴２２を角穴状に穿設したが、上下の辺が水平であって、垂直方向長さが最大差渡し長さよりも短い形状の穴であれば、どのような形状でも構わない。
【産業上の利用可能性】
【００３６】
本発明は、自動販売機、駐車場の精算機および電子マネーチャージ機等の無人機器の表面に取り付ける、磁気カードおよび非接触ＩＣカードのリーダライタ等の装置に適用可能である。
【符号の説明】
【００３７】
１０    リーダライタユニット
１１    リーダライタユニットの外側部
１１ａ  カード差込口
１１ｂ  カード通路
１２    リーダライタユニットの取付面（外側部の背面）
１３    第１の係止部
１３ａ  第１の係止部の折面
１３ｂ  第１の係止部の先端面
１３ｃ  第１の係止部の先端
１４    第２の係止部
１４ａ  第２の係止部の折面
１４ｂ  第２の係止部の先端面
１４ｃ  第２の係止部のヘ字状斜面
１４ｄ  第２の係止部の凹部
１４ｅ  第２の係止部の先端
２０    筐体
２１    被取付面
２２    被取付穴
２２ａ  被取付穴の上辺
２２ｂ  被取付穴の下辺
【図１】
0005788761.tif 000002
【図２】
0005788761.tif 000003
【図３】
0005788761.tif 000004
【図４Ａ】
0005788761.tif 000005
【図４Ｂ】
0005788761.tif 000006
【図５】
0005788761.tif 000007
【図６】
0005788761.tif 000008